(57)【要約】【課題】さまざまな色、さまざまな図案を提供可能であるため、識別、標示の機能を強化できる複合式プラスチックまな板の構造を提供する。【解決手段】複合式プラスチックまな板の構造は、上、下まな板2、2’、置板台3を備え、上、下まな板2、2’は任意の色の幾何形板体で、板体の適当な位置には模様孔21、21’、或いは第一フック孔22、22’を開設し、中間層と上下異なる色のまな板は置板台3を包射出し、中間層の凸模様31により上、下まな板2、2’の模様孔21、21’を埋めて平らにし、第二フック孔32と第一フック孔22、22’とは一体に連通し、上、下まな板2、2’はそれぞれ異なる単色で、しかも模様孔21、21’はカテゴリーを表す図形31で、これにより専属のまな板を簡単に記憶及び識別できるため、無秩序な使用を回避でき、しかも置板台3は上まな板2、或いは下まな板2’のどちらか一方と結合して一体のまな板を構成でき、二色の両面により上、下に分類識別可能なまな板として使用でき、一枚で両用できるため、相対的にコストを低下させることができる。【選択図】図１
0003162772.tif 000002
【実用新案登録請求の範囲】
【請求項１】
複合式プラスチックまな板の構造は、上、下まな板、置板台を備え、
前記上、下まな板は、押出、プレス、或いは射出等成型方式により、任意の色の幾何形板体に成型し、しかも前記板体の適当な位置には、模様孔を開設し、
前記置板台は、射出成型方式により、前記上、下まな板と結合して設置し、凸模様により、前記模様孔を埋めて平らにして一体を形成し、
前記上、下まな板は、前記置板台両側に結合され、しかも前記凸模様と前記模様孔とは対応してまな板を構成し、用途識別のための標示機能を強化することを特徴とする複合式プラスチックまな板の構造。
【請求項２】
前記幾何形板体は、方形或いは楕円形であることを特徴とする請求項１に記載の複合式プラスチックまな板の構造。
【請求項３】
前記模様孔は、符号、図形、或いは商標であることを特徴とする請求項１に記載の複合式プラスチックまな板の構造。
【請求項４】
前記上、下まな板は、板体の適当な位置に、第一フック孔、及び前記置板台の第一フック孔と相対する位置に第二フック孔を開設し、掛ける、或いは乾燥用のフック孔を構成することを特徴とする請求項１に記載の複合式プラスチックまな板の構造。
【請求項５】
前記置板台の外観様式は、手持ち式板体、或いは前記上、下まな板の幾何形板と相同とすることを特徴とする請求項１に記載の複合式プラスチックまな板の構造。
【請求項６】
前記置板台外枠は、前記上、下まな板周縁と対応する高さで平面を形成し、或いは前記上、下まな板周縁よりわずかに高くガード溝を構成することを特徴とする請求項１に記載の複合式プラスチックまな板の構造。
【請求項７】
前記置板台は、前記上まな板、或いは前記下まな板のどちらか一方と結合して設置し、両面の色が異なるまな板を構成することを特徴とする請求項１に記載の複合式プラスチックまな板の構造。
【考案の詳細な説明】
【技術分野】
【０００１】
本考案は複合式プラスチックまな板の構造に関し、特に上、下まな板を置板台両側に結合し、しかも凸模様と模様孔とは対応し、一枚で両用できるまな板を構成し、さまざまな色、さまざまな図案を提供可能であるため、識別、標示の機能を強化できる複合式プラスチックまな板の構造に関する。
【背景技術】
【０００２】
一般のプラスチックまな板4は、成型プラスチック板の表平面上に、符号、図形、或いは商標等を印刷し、その面上には、抗菌処理と耐磨耗処理を施した透明保護層41を設置し、識別或いは標示用とし、背面には、滑り止め層42を設置し、使用時に定位を提供し、滑りにくくする。
さらに、フック孔43を開設して、掛ける、或いは乾燥用に用いる(図１０、１１参照)ことができる。
【０００３】
また、別種のプラスチックまな板4は、抗菌処理と耐磨耗処理を施した成型プラスチック板を主体とする。
前、後両端には、プラスチック包射出によりそれぞれハンドル44を成型し、完全なまな板外型を形成して、両面まな板として使用する(図１２参照)。
【０００４】
しかし、上記２種の従来のプラスチックまな板には、以下の欠点が存在する。
先ず前者では、プラスチック板の製造後に、さらに完成までには、いくつもの加工プロセスを加えなければならないため、コストパフォーマンスを上げることができない。
さらに、背面に設置する滑り止め層も、水面に接触するとやはり滑ってしまい、効果には限界があるため、使用において不便である。
また、背面に滑り止め層を設置するため、片面プラスチックまな板としてしか使用できない。
【０００５】
後者のプラスチックまな板は、抗菌処理と耐磨耗処理を施したプラスチック板を主体とした両面まな板であるが、重量を増やさなければ使用時の滑りを防止することができないため、コストが高くなってしまう。
また、両板面共に相同の色で、しかも目立った符号、図形、商標を、識別或いは標示用としていないため、無秩序に使用してしまい易く、不衛生である。
本考案は、従来のプラスチックまな板の構造の上記した欠点に鑑みてなされたものである。
【考案の概要】
【考案が解決しようとする課題】
【０００６】
本考案が解決しようとする第一の課題は、さまざまな色、さまざまな図案を提供可能であるため、識別、標示の機能を強化できる複合式プラスチックまな板の構造を提供することである。
【課題を解決するための手段】
【０００７】
上記課題を解決するため、本考案は下記の複合式プラスチックまな板の構造を提供する。
複合式プラスチックまな板の構造は、任意の色を呈し、幾何形板体である上、下まな板を備え、その本体には抗菌処理を施し、該板体の適当な位置には、模様孔、或いは第一フック孔を開設し、
中間は、プラスチック包射出により置板台を形成し、凸模様により該模様孔を埋めて平らにし、第二フック孔と第一フック孔とは連通して一体となり、
該上、下まな板は、それぞれ異なる単色で、しかも該模様孔は、カテゴリーを表す図形で、使用時にはこれにより専属のまな板を簡単に記憶及び識別できるため、無秩序な使用を回避でき、
しかも、該置板台は、該上まな板、或いは該下まな板のどちらか一方と結合し、幾何形板体で、両面の色が異なるまな板を形成することができ、一枚で両用できるため、コストを低下させられ、
該上、下まな板間には、ハンドルを備える置板台をプラスチック包射出成型し、該凸模様と該模様孔とは対応し、
しかも、該置板台外枠は、該上、下まな板周縁とちょうど対応する高さで、或いは該上、下まな板周縁よりやや高く、ガード溝を具える手持ち式板体の両面まな板を構成し、貯水機能を提供し、水が外に流れないようにすることができる。
【考案の効果】
【０００８】
本考案の複合式プラスチックまな板の構造は、上、下まな板を置板台両側に結合し、しかも凸模様と模様孔とは対応し、一枚を両用できるまな板を構成し、さまざまな色、さまざまな図案を提供可能であるため、識別、標示の機能を強化できる。
【図面の簡単な説明】
【０００９】
【図１】本考案第一実施例の立体分解図である。
【図２】本考案第一実施例の立体組合せ図である。
【図３】本考案第一実施例の立体組合せ後側視図である。
【図４】本考案第二実施例の立体分解図である。
【図５】本考案第二実施例の立体組合せ図である。
【図６】本考案第二実施例の組合せ後側視図である。
【図７】本考案第三実施例の立体組合せ図である。
【図８】本考案第一実施例の上、下まな板と置板台結合設置の包射模式図である。
【図９】本考案第一実施例の上、下まな板と置板台結合設置の包射模式図である。
【図１０】従来のプラスチックまな板の立体図である。
【図１１】従来のプラスチックまな板の立体後側視図である。
【図１２】別種の従来のプラスチックまな板の立体図である。
【考案を実施するための形態】
【００１０】
以下に図面を参照しながら本考案を実施するための最良の形態について詳細に説明する。
【実施例】
【００１１】
先ず、図１、２、３に示すように、本考案複合式プラスチックまな板の構造は、上、下まな板2、2’、置板台3を備える。
【００１２】
上、下まな板2、2’は、押出、プレス、或いは射出等成型方式により、任意の色の幾何形板体に成型する。
幾何形板体は、方形或いは楕円形等で、しかもその本体には抗菌処理を施し、使用後の細菌の繁殖を回避する。
板体の適当な位置には、模様孔21、21’、或いは第一フック孔22、22’を開設する。
模様孔21、21’は、符号、図形、或いは商標等で、これによりまな板用途の識別性、或いは標示性を強化する。
【００１３】
置板台3は、射出成型方式により、上、下まな板2、2’とそれぞれ結合させて設置する。
凸模様31により、上、下まな板2、2’の模様孔21、21’を埋めて平らにし、第二フック孔32により、第一フック孔22、22’と貫通させて一体を形成する。
その外観様式は、手持ち式板体、或いは上、下まな板2、2’の幾何形板と相同である。
【００１４】
上記した構造により、本考案複合式プラスチックまな板の構造は、表面エリアに抗菌処理を施し、まな板の重量を増やして定位でき、用途識別を強化することができ、こうしてコストパフォーマンスを高めることができる。
【００１５】
図１、２、３、及び図８、９に示すように、本考案第一実施例は、上、下まな板2、2’間に、プラスチック包射出により置板台3を形成する。
しかも、凸模様31及び第二フック孔32は、模様孔21、21’及び第一フック孔22、22’とそれぞれ対応し、こうして幾何形板体の両面まな板を形成する(図８、９参照)。
【００１６】
上まな板2は、単色で、しかも模様孔21は、牛図形で、下まな板2’は、別の単色で、しかも模様孔21’は、魚図形である。
これにより、使用者はそれぞれ専属のまな板面を簡単に記憶、かつ識別可能で、無秩序に混ざった使用を避けることができる。
また、掛ける、或いは乾燥用としてフック孔を開設する。
【００１７】
置板台3は、上まな板2、或いは下まな板2’のどちらか一方と結合して設置することができる。
こうして、幾何形板体で、両面の色が異なるまな板を形成し、識別性を提供して、衛生性を向上させることができる。
【００１８】
図４、５、６に示すように、本考案第二実施例では、上、下まな板2、2’間に、ハンドル33を備える置板台3をプラスチック包射出する。
しかも、凸模様31と模様孔21、21’とは対応し、置板台3の外枠は、上、下まな板2、2’周縁とちょうど対応する高さで、こうして手持ち式板体である両面まな板を構成し、上記した第一実施例と相同の効果を達成することができる。
【００１９】
図７に示すように、本考案第三実施例は、上記した第二実施例に類似しており、上、下まな板2、2’間に、ハンドル33を備える置板台3をプラスチック包射出する。
両者の相違点は、凸模様31と模様孔21、21’とは対応するが、置板台3外枠が、上、下まな板2、2’周縁よりやや高く、ガード溝34を構成する点で、これにより貯水機能を提供し、水が外に流れることを防止可能である。
【００２０】
上記したように、本考案は表面エリアには抗菌処理を施し、コストを低下させられ、重量を増やして定位効果を提供し、用途を識別でき、標示機能を強化することができる。
【００２１】
上記の本考案名称と内容は、本考案技術内容の説明に用いたのみで、本考案を限定するものではない。本考案の精神に基づく等価応用或いは部品（構造）の転換、置換、数量の増減はすべて、本考案の保護範囲に含むものとする。
【産業上の利用可能性】
【００２２】
本考案は実用新案の要件である新規性を備え、従来の同類製品に比べ十分な進歩を有し、実用性が高く、社会のニーズに合致しており、産業上の利用価値は非常に大きい。
【符号の説明】
【００２３】
２    上まな板
２１  模様孔
２２  第一フック孔
２’    下まな板
２１’  模様孔
２２’  第一フック孔
３    置板台
３１  凸模様
３２  第二フック孔
３３  ハンドル
３４  ガード溝
４    プラスチックまな板
４１  透明保護層
４２  滑り止め層
４３  フック孔
４４  ハンドル
【図１】
0003162772.tif 000003
【図２】
0003162772.tif 000004
【図３】
0003162772.tif 000005
【図４】
0003162772.tif 000006
【図５】
0003162772.tif 000007
【図６】
0003162772.tif 000008
【図７】
0003162772.tif 000009
【図８】
0003162772.tif 000010
【図９】
0003162772.tif 000011
【図１０】
0003162772.tif 000012
【図１１】
0003162772.tif 000013
【図１２】
0003162772.tif 000014